【手続補正書】
【提出日】平成20年3月26日(2008.3.26)
【手続補正１】
【補正対象書類名】明細書
【補正対象項目名】全文
【補正方法】変更
【補正の内容】
【書類名】        明細書
【発明の名称】    サドルボックス
【特許請求の範囲】
【請求項１】  サドル（６）の下部に上縁を嵌め込むと共に前記サドル（６）の下部から後部に渡って収納可能な空間が確保可能なボックス本体（１）を備えたサドルボックスであり、前記サドル（６）の下部に前記ボックス本体（１）の上面の前方を被せると共に前記ボックス本体（１）の上面の後方には開閉蓋（２）を取付け、且つ前記サドル（６）のシャフト（７）を挿通させる円筒部（３）を前記ボックス本体（１）の下方へ突出させ、且つ前記円筒部（３）には、前記シャフト（７）に固定させるためのネジやボルトなどの締結部材（４）を取付けたことを特徴とするサドルボックス。
【請求項２】  前記ボックス本体（１）が合成樹脂で形成され、且つ前記ボックス本体（１）に前記開閉蓋（２）と前記円筒部（３）が一体成形された請求項１記載のサドルボックス。
【請求項３】  前記開閉蓋（２）の先端側には、雨水浸入防止用の反り部（21）が設けられた請求項１又は２記載のサドルボックス。
【請求項４】  前記開閉蓋（２）の後部が、蝶番（５）を介して前記ボックス本体（１）に取付けられた請求項１又は３記載のサドルボックス。
【請求項５】  前記締結部材（４）が蝶ボルトである請求項１記載のサドルボックス。
【発明の詳細な説明】
【０００１】
【発明の属する技術分野】
本発明は自転車のサドルのアンダーカバー兼用物入れであるサドルボックスに関する。
【０００２】
【従来の技術】
一般の自転車のサドルは略同形のものが多く、マウンテンバイクやロードレーサーなどのレジャー用自転車のサドルに於いても先端部が略同形で細長いものが大半であった。又、一般にサドルのパイプに固定するサドルボックスとしては、特開２０００−３１８６６８があり、これはボックスの本体下部に水切り網を設け、中心部にはパイプに固定するための取付クランプを備え、底蓋と上蓋を設け、上蓋の開閉を行うために凹凸部を設けた構造のものであった。この目的はサドルに付着した雨露の拭き取り布等の小さな物を収納し、常時必要に応じて布等が取出し出来る容器を提供するものである。又、濡れた拭き取り布を絞ることなく、そのまま入れておけば自然に乾燥が期待出来るものであった。次にサドルの金具に固定するものとしては、特開２０００−１４２５１７があり、これはカバー体の上面部と前後左右の周側部を一連に形成すると共にカバー体の上面部から左右側面部にかけて前後平行した波形凹凸を略全長に形成することにより、カバー体を前後方向に伸縮可能な蛇腹体とした構造のものである。この目的はサドルを雨水やチリ、ホコリ等から保護するために、ワンタッチで簡単にサドルにカバー体の着脱が可能で且つカバー体を取外すと小さく収縮した形に収納出来るようにしたものであり、カバー収納部にはカバー体専用のスペースしかなく、布等を収納するスペースはなかった。
【０００３】
【発明が解決しようとする課題】
しかしながら前記一般の自転車のサドルは略同じ形のものであるため、個性が乏しかった。またマウンテンバイクやロードレーサーなどのレジャー用自転車のサドルは、色がカラフルで後部の形状も幾つかあるが、全体的に且つ離れた所から見れば大差はなく、強い個性を発揮させることは難しかった。又、特開２０００−３１８６６８や特開２０００−１４２５１７に於いては、サドルの後方に離れて固定されているため、付属品が備えられているように見えるものであった。従って、雨具などを入れる容積を確保しようとすれば全体が大きなものとなるため、異物感やアンバランス感を与え、見た目が余り良くない等の問題点があった。
【０００４】
本発明は自転車のサドルと一体化して見えるのでバランスが良く、且つ今までにない個性が発揮出来ると共に雨具やタオル等を容易に収納できるサドルボックスを提供することを目的とする。
【０００５】
【課題を解決するための手段】
上記問題点を解決するために本発明は成されたものであり、つまり、サドルに上縁を被せると共にサドルの下部から後部に渡って収納可能な空間が確保可能なボックス本体の後方には、開閉蓋を取付け、且つ下方にはサドルのシャフトを挿通させる円筒部を突出させ、円筒部にはシャフトに固定させるためのネジやボルトなどの締結部材を取付ける構造と成す。またボックス本体を合成樹脂で形成し、且つ開閉蓋と円筒部を一体成形させると良く、開閉蓋には雨水浸入防止用の反り部を設けたり、締結部材として蝶ボルトを用いると良い。
【０００６】
【発明の実施の形態】
図１〜図３は一般サドルに取付ける場合の本発明の実施形態を示す図であり、この図面に基づいて説明する。（１）は一般のサドル（６）の下部全体に上縁を嵌め込むと共に前記サドル（６）の下部から後部に渡ってタオルや雨具などが収納可能な空間を確保したボックス本体であり、該ボックス本体（１）はサドル（６）の形状に沿った曲線を有すると共に内部が密閉可能であり、合成樹脂や雨水に耐える材料などで形成されている。また前記ボックス本体（１）の上面の後方略半分には取出口（11）が開口されている。（２）は取出口（11）を覆う開閉蓋であり、該開閉蓋（２）のサドル（６）側には雨水浸入防止用の反り部（21）が設けられている。尚、前記開閉蓋（２）は前方が開放される方式であるが、後方が開放される方式としても良い。（３）はボックス本体（１）の下方へ突出させた円筒部であり、該円筒部（３）はサドル（６）のシャフト（７）を挿通させると共に側壁にはボス部を設け、その内部にネジ穴（31）が設けられている。（４）は円筒部（３）のネジ穴（31）に取付けた蝶ボルトの締結部材であり、ボックス本体（１）をシャフト（７）に固定させる役目を果たす。また締結部材（４）として蝶ボルトを用いるのが好ましいが、六角穴付きネジや六角ボルトなどを用いても良い。（５）は開閉蓋（２）の後部がボックス本体（１）の後部に取付けるための蝶番である。尚、前記ボックス本体（１）と一体に開閉蓋（２）を形成させると共にヒンジ部も一緒に設けた時には蝶番（５）は不要である。又、前記開閉蓋（２）はヒンジ部を用いずに後方へ引出す引出し方式としても良い。
【０００７】
図４、図５はレジャー用サドルに取付ける場合の本発明の別実施形態を示す図であり、これは前記実施形態と比較すれば、その違いは特にボックス本体（１）の上縁が、サドル（６）の下部全体に嵌め込めるタイプは全体を嵌め込み、金具などが邪魔して下部全体が嵌め込めないタイプは一部を嵌め込み可能とすれば良い。他は前記実施形態と基本構造は同じである。
【０００８】
次に本発明品を取付ける場合について説明する。先ず図示しない自転車からシャフト（７）と共にサドル（６）を引抜く。次に前記シャフト（７）の下端をボックス本体（１）の上方から円筒部（３）に挿通する。そしてボックス本体（１）の上縁がサドル（６）の下部に嵌め込まれ、該サドル（６）の下部から後方に渡って一体化する。その後、締結部材（４）によってボックス本体（１）がサドル（６）に固定されるのである。この時、ボックス本体（１）は締結部材（４）がシャフト（７）に食い込んで円筒部（３）を固定した状態となるが、上方から加わる負荷としては、ボックス本体（１）内部に入れるタオルや雨具などの極めて軽い重量であるため、例えば蝶ボルト（４）が１本だけでも充分に支持出来るものとなるのである。次にサドル（６）の下部に本発明品が取付けられたものを自転車に取付ければ、図２や図５に示すようにサドル（６）の下部から後方に渡って本発明品が一体的に取付けられたものとなり、見た目がスッキリして且つ後方からタオルや雨具などの出し入れが容易に行えるものとなる。
【０００９】
次に本発明品を利用する場合について説明する。先ずタオルや雨具などを収納する場合、後方の開閉蓋（２）を前側から上方へ持ち上げると、取出口（11）があらわれる。そして、その取出口（11）からボックス本体（１）内部へタオルや雨具などを入れる。収納後、開閉蓋（２）を図２や図５の矢印のように閉めれば完了する。この時、開閉蓋（２）の前側に反り部（21）を設けておけば、雨水がボックス本体（１）の内部に浸入しにくいものとなる。このようにボックス本体（１）内部に雨具などを収納しておけば、不意の雨であっても直ぐに開閉蓋（２）を開いて中から雨具を取出して使用すれば良い。更にボックス本体（１）の空間を広くしておけば、いろいろなものが入れられる小物入れとして利用することが可能となる。またボックス本体（１）の後側に反射鏡を取付けたり、下部前方に照明などを取付ければ、安全性がより高くなる。更に警告音の出る装置などを適宜箇所に取付けることにより、付加価値が付与でき、且つ自転車のサドル（６）に一体化されて見え、今までにない個性が発揮出来るものとなると共に安全性と見た目が良いものとなるのである。
【００１０】
【発明の効果】
本発明はこのように構成させたことにより、下記に記載する効果を有する。
【００１１】
請求項１のようにサドル（６）の下部に上縁を嵌め込むと共にサドル（６）の下部から後部に渡って収納可能な空間が確保可能なボックス本体（１）の上面の後方に、開閉蓋（２）を取付けると共に下方に、サドル（６）のシャフト（７）を挿通させる円筒部（３）を突出させ、且つ円筒部（３）に締結部材（４）を設けることにより、サドル（６）の下部から後方に渡って本発明品が一体的に取付けられたものとなり、サドル（６）のスプリングや金具が露出しないので、自転車のサドル（６）と一体化して見え、見た目がスッキリし且つ安全性と見た目が良いものとなると共に今までにない個性が発揮出来るものとなる。更にボックス本体（１）内部にはタオルや雨具などが収納でき、そのタオルや雨具などの出し入れが容易に行えるものとなる。又、ボックス本体（１）内部には工具，タオル，レインコート，手袋などのいろいろなものを入れる小物入れとして利用することが可能となると共にボックス本体（１）の後側に反射鏡を取付けたり、前側に照明などを取付けて安全性を高めることも容易に行え、しかもストーカーや痴漢対策用として警告音の出る装置を付けることも可能であり、いろいろな用途が考えられるものとなった。
【００１２】
請求項２のようにボックス本体（１）をサドル（６）の下縁に沿って合成樹脂で形成し、且つボックス本体（１）に開閉蓋（２）と円筒部（３）を一体成形することにより、安価で大量生産が可能となる。しかも開閉蓋（２）がボックス本体（１）に一体成形され、ヒンジ部も同時に成形されることにより、部品点数が極めて少なくなるので、生産管理や品質管理が容易となる。
【００１３】
請求項３に示すように開閉蓋（２）の先端側に、雨水浸入防止用の反り部（21）を設けることにより、見た目がより流線形になると共にボックス本体（１）の内部に雨水が入りにくくなるため、防水性が向上するものとなる。
【００１４】
請求項４に示すように開閉蓋（２）の後部に、蝶番（５）を介してボックス本体（１）の後部に取付けることにより、開閉蓋（２）の材料がボックス本体（１）と違う材料を使用しても簡単に取付けることが出来る。特に使用頻度の多い開閉蓋（２）だけを別の材料で強度や耐摩耗性などの性能アップさせることで、本発明品全体の耐用年数が向上されるものとなる。
【００１５】
請求項５のように締結部材（４）として蝶ボルトを用いれば、工具を用いずに簡単に本発明品を取付けることが可能となる。
【図面の簡単な説明】
【図１】
本実施形態の分解部品の要部を示す斜視図である。
【図２】
本実施形態が取付けられた状態を示す斜視図である。
【図３】
本実施形態の取付け状態の要部を示す断面図である。
【図４】
本発明の別実施形態に於ける分解部品の要部を示す斜視図である。
【図５】
別実施形態が取付けられた状態を示す斜視図である。
【符号の説明】
１  ボックス本体
２  開閉蓋
21  反り部
３  円筒部
４  締結部材
５  蝶番
６  サドル
７  シャフト
【手続補正２】
【補正対象書類名】図面
【補正対象項目名】図３
【補正方法】変更
【補正の内容】
【図３】
2002284063.tif 000001